(57)【要約】【課題】最尤復号より前の段階における信号処理回路がより安定して最適な特性に自動制御されるように、その制御シーケンスをコントロールするようにする。【解決手段】情報記録媒体からの再生信号の波形を等化する前置波形等化器、直流レベルを調整するオフセット制御部、アシンメトリを補正するアシンメトリ制御部、振幅制御部、アナログデジタル変換器、適応等化器、バイナリデータを得るとともに入力と理想信号との誤差情報も得る最尤復号器を順次有する。アナログデジタル変換器のサンプリング信号周波数と位相を制御する周波数制御装置、位相制御装置を有する。シーケンサは少なくとも前記周波数制御と位相制御がそれぞれ所定の制御範囲になるとオフセット制御部、アシンメトリ制御部、振幅制御部、アナログデジタル変換器、適応等化器のうちいずれか２つに対して最尤復号器で得られる誤差情報を帰還する。【選択図】    図１
2006127661.tif 000002
【特許請求の範囲】
【請求項１】
情報記録媒体からの再生信号を処理してデジタルデータを再生する再生装置において、
前記再生信号の波形を等化する前置波形等化器と、
前記前置波形等化器の出力の直流レベルを調整するオフセット制御部と、
前記オフセット制御部の出力のアシンメトリを補正するアシンメトリ制御部と、
前記アシンメトリ制御部の出力の振幅を制御する振幅制御部と、
前記振幅制御部の出力をデジタルデータに変換するアナログデジタル変換器と、
前記アナログデジタル変換器の出力を所望のパーシャルレスポンス波形に適応等化する適応等化器と、
前記適応等化器の出力を復号してバイナリデータを得るとともに入力と理想信号との誤差情報も得る最尤復号器と、
前記アナログデジタル変換器の出力の周波数を監視し、前記出力の周波数が所望の周波数となるように前記アナログデジタル変換器のサンプリング信号周波数を制御する周波数制御装置と、
前記アナログデジタル変換器の出力の位相を監視し、前記出力の位相が所望の位相となるように前記アナログデジタル変換器のサンプリング信号位相を制御する位相制御装置と、
少なくとも前記周波数制御装置と位相制御装置の出力がそれぞれ所定の制御範囲となるまでは、上記のオフセット制御部と、アシンメトリ制御部と、振幅制御部と、適応等化器に対して前記最尤復号器で得られる誤差情報を帰還するモード（MLモード）をオフに維持し、前記所定の制御範囲に達したときは、前記MLモードを少なくとも１つ以上に対してオンにするシーケンサと
を具備したデジタルデータ再生装置。
【請求項２】
前記シーケンサは、状態遷移処理を行うもので、前記情報記録媒体の記録情報の再生を開始する前に、所定の条件に応じて、
前記オフセット制御部、アシンメトリ制御部、振幅制御部、適応等化器、周波数制御装置、位相制御装置のそれぞれを少なくともハイゲインとローゲインに切り替えて状態遷移を行う手段を有することを特徴とする請求項１記載のデジタルデータ再生装置。
【請求項３】
前記オフセット制御部、アシンメトリ制御部、振幅制御部、適応等化器、周波数制御装置、位相制御装置の６つのブロックのそれぞれを少なくともハイゲインとローゲインに切り替えて状態遷移を行う手段は、それぞれに対して
状態S0として、前記６つのブロックをハイゲイン、ハイゲイン、ハイゲイン、オフ、オフ、オフに設定し、オフセット、アシンメトリ、振幅制御を周波数制御可能な程度に合わせる状態と、
状態S1として、前記６つのブロックをローゲイン、ローゲイン、ローゲイン、オフ、オン、オフに設定し、周波数制御を位相制御可能な程度まで合わせる状態と、
状態S2として、前記６つのブロックをローゲイン、ローゲイン、ローゲイン、オフ、オン、ハイゲインに設定し、位相引き込みを行う状態と、
状態S3として、前記６つのブロックをローゲイン、ローゲイン、ローゲイン、ハイゲイン、オン、MLモードに設定し、適応等化を開始し、位相同期の判定を待つ状態と、
状態S4として、前記６つのブロックをMLモード、MLモード、MLモード、ローゲイン、オフ、MLモードに設定し、定常リード状態と、
に状態遷移することを特徴とする請求項２記載のデジタルデータ再生装置。
【請求項４】
状態S５として、前記６つのブロックをローゲイン、ローゲイン、ローゲイン、オフ、オフ、及び前記情報記録媒体のトラック上で一定周波数が記録されているVFO領域の信号を読み取り位相合わせを行うVFO専用に設定する状態をさらに有することを特徴とする請求項３記載のデジタルデータ再生装置。
【請求項５】
前記シーケンサは、状態S0-S4の状態遷移処理を行う場合と、状態S0-S5の状態遷移を行う場合との選択手段を有することを特徴とする請求項５記載のデジタルデータ再生装置。
【請求項６】
情報記録媒体からの再生信号を処理してデジタルデータを再生する再生方法において、
前記再生信号の波形を等化する前置波形等化器と、前記前置波形等化器の出力の直流レベルを調整するオフセット制御部と、前記オフセット制御部の出力のアシンメトリを補正するアシンメトリ制御部と、前記アシンメトリ制御部の出力の振幅を制御する振幅制御部と、前記振幅制御部の出力をデジタルデータに変換するアナログデジタル変換器と、前記アナログデジタル変換器の出力を所望のパーシャルレスポンス波形に適応等化する適応等化器と、前記適応等化器の出力を復号してバイナリデータを得るとともに入力と理想信号との誤差情報も得る最尤復号器と、前記アナログデジタル変換器の出力の周波数を監視し、前記出力の周波数が所望の周波数となるように前記アナログデジタル変換器のサンプリング信号周波数を制御する周波数制御装置と、前記アナログデジタル変換器の出力の位相を監視し、前記出力の位相が所望の位相となるように前記アナログデジタル変換器のサンプリング信号位相を制御する位相制御装置を用いて、
少なくとも前記周波数制御装置と位相制御装置の出力がそれぞれ所定の制御範囲となるまでは、上記のオフセット制御部と、アシンメトリ制御部と、振幅制御部と、適応等化器に対して前記最尤復号器で得られる誤差情報を帰還するモード（MLモード）をオフに維持し、前記所定の制御範囲に達したときは、前記MLモードを少なくとも１つ以上に対してオンにすることを特徴とするデジタルデータ再生方法。
【請求項７】
前記シーケンサは、状態遷移処理を行うもので、前記情報記録媒体の記録情報の再生を開始する前に、所定の条件に応じて、
前記オフセット制御部、アシンメトリ制御部、振幅制御部、適応等化器、周波数制御装置、位相制御装置のそれぞれを少なくともハイゲインとローゲインに切り替えて状態遷移を行うことを特徴とする請求項６記載のデジタルデータ再生方法。
【請求項８】
前記オフセット制御部、アシンメトリ制御部、振幅制御部、適応等化器、周波数制御装置、位相制御装置の６つのブロックのそれぞれを少なくともハイゲインとローゲインに切り替えて状態遷移を行う場合は、それぞれに対して
状態S0として、前記６つのブロックをハイゲイン、ハイゲイン、ハイゲイン、オフ、オフ、オフに設定し、オフセット、アシンメトリ、振幅制御を周波数制御可能な程度に合わせる状態と、
状態S1として、前記６つのブロックをローゲイン、ローゲイン、ローゲイン、オフ、オン、オフに設定し、周波数制御を位相制御可能な程度まで合わせる状態と、
状態S2として、前記６つのブロックをローゲイン、ローゲイン、ローゲイン、オフ、オン、ハイゲインに設定し、位相引き込みを行う状態と、
状態S3として、前記６つのブロックをローゲイン、ローゲイン、ローゲイン、ハイゲイン、オン、MLモードに設定し、適応等化を開始し、位相同期の判定を待つ状態と、
状態S4として、前記６つのブロックをMLモード、MLモード、MLモード、ローゲイン、オフ、MLモードに設定し、定常リード状態と、
に状態遷移することを特徴とする請求項６記載のデジタルデータ再生方法。
【請求項９】
状態S５として、前記６つのブロックをローゲイン、ローゲイン、ローゲイン、オフ、オフ、及び前記情報記録媒体のトラック上で一定周波数が記録されているVFO領域の信号を読み取り位相合わせを行うVFO専用に設定する状態をさらに有することを特徴とする請求項６記載のデジタルデータ再生方法。
【請求項１０】
状態S3として、前記６つのブロックをローゲイン、ローゲイン、ローゲイン、ハイゲイン、オン、MLモードに設定し、適応等化を開始し、位相同期の判定を待つ状態であっても、
一定期間定常リード可能な状態になったことが検出されなかった場合は、前記状態S2に遷移し位相引き込みからやり直すようにしたことを特徴とする請求項６記載のデジタルデータ再生方法。
【請求項１１】
状態S3として、前記６つのブロックをローゲイン、ローゲイン、ローゲイン、ハイゲイン、オン、MLモードに設定し、適応等化を開始し、位相同期の判定を待つ状態であっても、
一定期間定常リード可能な状態になったことが検出されなかった場合は、前記状態S１に遷移し、周波数引き込みからやり直すようにしたことを特徴とする請求項６記載のデジタルデータ再生方法。
【発明の詳細な説明】
【技術分野】
【０００１】
この発明は、情報記録媒体に含まれる高密度の光ディスクなどからデータを再生するデジタルデータ再生装置及び方法に関する。
【背景技術】
【０００２】
近年、より高密度な光ディスク等からのデータを再生する方法として、パーシャルレスポンス処理と最尤復号処理を併せ持ったPRML（Partial Response Maximum Likelihood）信号処理方式が検討されている。
【０００３】
この方式を採用した場合、再生手順は次のようになる。光ディスク上の記録ピットは光ピックアップを介して読み出される。読み出された再生信号は前置増幅器（プリアンプ）に送られて信号増幅等の処理を施され、次にプリイコライザで事前の波形等化がなされる。波形等化された信号は、オフセット制御回路で直流レベルの調整がなされ、次に振幅制御部で信号振幅の調整がなされる。次に、アナログデジタル変換器（ADC）で入力信号レベル値がデジタル値に変換される。ADCのサンプリングクロックはタイミングリカバリ部から供給される。周波数数検出部では、再生信号のクロック周波数を検出し、タイミングリカバリ部に周波数情報を提供する。
【０００４】
AD変換された再生信号は、適応等化器にてPR等化され、最尤複合器で所定のPRクラスに基づいて最尤復号される。最尤復号された再生ストリームは後段の同期復調および、エラー訂正回路等を介して、ユーザーデータとして再生される。
【０００５】
最尤復号器で得られる理想信号と入力信号の誤差によって、オフセット制御、振幅制御、適応等化、タイミングリカバリ部などを制御することにより、より高精度な制御を行うことが検討されている。
【特許文献１】特開平９−３３０５６４
【特許文献２】特開２００２−１９０１６５
【発明の開示】
【発明が解決しようとする課題】
【０００６】
最尤復号器で得られる理想信号と入力信号の誤差を正しく得るためには、最尤復号結果が相応に正しいことが求められる。
【０００７】
しかしながら、再生開始時点では最尤復号器の前段にある各信号処理部の制御値は最適値とは異なることが一般的である。このため、最尤復号結果は相応に正しいとは言えない場合がある。最尤復号結果が相応に正しくない場合、最尤復号より前段の各信号処理部の制御値が最適値を得るまでに余分な時間を要し、最悪の場合はいつまでも最適値を得られないなどの問題がある。
【０００８】
特に光ディスクなどのリムーバブルディスクの場合、ディスク特性のばらつきが大きく、各制御回路の制御初期値が最適値と大きく異なる場合があり、ハードディスクなどに比べて、前記問題はより深刻である。
【０００９】
そこでこの発明の目的は、最尤復号より前の段階における信号処理回路がより安定して最適な特性に自動制御されるように、その制御シーケンスをコントロールするようにし、結果的に最尤復号処理時に得られる入力信号と再生信号との誤差が適切に得られ、動作安定が確実に迅速に得られるようにしたデジタル再生装置及び方法を提供することにある。
【課題を解決するための手段】
【００１０】
この発明の一実施の形態では上記の目的を達成するために、情報記録媒体からの再生信号を処理してデジタルデータを再生する再生装置において、前記再生信号の波形を等化するイコライザと、前記イコライザの出力の直流レベルを調整するオフセット制御部と、前記オフセット制御部の出力のアシンメトリを補正するアシンメトリ制御部と、前記アシンメトリ制御部の出力の振幅を制御する振幅制御部と、  前記振幅制御部の出力をデジタルデータに変換するアナログデジタル変換器と、前記アナログデジタル変換器の出力を所望のパーシャルレスポンス波形に適応等化する適応等化器と、前記適応等化器の出力を復号してバイナリデータを得るとともに入力と理想信号との誤差情報も得る最尤復号器と、前記アナログデジタル変換器の出力周波数を監視し、前記出力周波数が所望の周波数となるように前記アナログデジタル変換器のサンプリング信号周波数を制御する周波数制御装置と、前記アナログデジタル変換器の出力位相を監視し、前記出力位相が所望の位相となるように前記アナログデジタル変換器のサンプリング信号位相を制御する位相制御装置と、少なくとも前記周波数制御装置と位相制御装置の出力がそれぞれ所定の制御範囲となったときに、上記のオフセット制御部と、アシンメトリ制御部と、振幅制御部と、適応等化器の少なくとも１つ以上に対して前記最尤復号器で得られる誤差情報を帰還するシーケンス制御部とを備える。
【発明の効果】
【００１１】
上記の手段により、最尤復号における復号処理が常に最良の環境及び条件の元で行われるようになり、安定した再生データを得ることが出来る。
【発明を実施するための最良の形態】
【００１２】
以下、図面を参照してこの発明の実施の形態を説明する。図１はこの発明の一実施の形態に係るデジタルデータ再生装置の構成例を示している。この装置のリードチャンネル部は、基本的には、光ディスク１００、光ピックアップ１０１、前置増幅器１０２、前置波形等化器（プリイコライザ）１０３、オフセット制御部２１１、アシンメトリ制御部２１２、振幅制御部２１３、アナログデジタル変換器（ADC）２１４、適応等化器２１５、最尤復号器２１６、タイミングリカバリ部２２０、周波数検出部２１８、同期復調器２１７、シーケンサ２３０で構成される。
【００１３】
光ディスク１００の記録ピットにより記録されている記録情報は、光ピックアップ１０１により読み取られ、電圧信号（再生信号）に変換される。この再生信号は、前置増幅器１０２により増幅され、続いて前置波形等化器１０３により事前の波形等化処理を受ける。
【００１４】
前置波形等化器１０３の出力は、オフセット制御部２１１において、直流レベルを調整される。このオフセット制御部２１１は、後述するハイゲインモード、ローゲインモード、MLモードを持ち、シーケンサ２３０から制御信号により、状況に応じてモードが切り替えられる。ハイゲインモード、およびローゲインモードの性質は、入力信号のみに基づき自立制御で直流レベルを調整するモードで、ハイゲインモードでは、初期状態から高速に直流レベルを調整するが、ローゲインモードでは入力信号の直流レベル変化に対して緩やかに追従する。また、MLモードでは最尤復号器２１６からの等化誤差信号に基づきPRMLに最適な直流レベル調整を行うモードである。ただし、MLモードで所望の性能を満たすには適応等化が終了している状態が望ましい。
【００１５】
次のアシンメトリ制御部２１２はオフセット制御部２１１の出力信号のアシンメトリを調整する。アシンメトリは、信号波形が基準レベルを中心にして上下非対称である場合、この非対称性を補正し、対称に近づける制御を行う。このアシンメトリ制御部２１２もハイゲインモード、ローゲインモード、MLモードを持ち、シーケンサ２３０の制御信号により状況に応じてモードが切り替わる。各モードの性質はオフセット制御部２１１の場合と同様である。
【００１６】
振幅制御部２１３は、アシンメトリ制御部２１３からの出力信号の振幅を調整する。この振幅制御部２１３もハイゲインモード、ローゲインモード、MLモードを持ち、シーケンサ２３０から制御信号により状況に応じてモードが切り替わる。各モードの性質はオフセット制御部２１１の場合と同様である。
【００１７】
アナログデジタル変換器２１４は、振幅制御部２１３の出力信号をサンプリングクロックのタイミングでサンプリングしデジタル値に変換する。
【００１８】
適応等化器２１５は、アナログデジタル変換器２１４の出力信号を所望のパーシャルレスポンス（PR）波形に適応等化する。シーケンサ２３０の制御信号により、適応等化器２１５のタップ係数の学習をするかしないかが切り替えられる。所望の等化出力を得るためには位相同期した状態で学習を開始することが望ましい。
【００１９】
最尤復号器２１６は、適応等化信号を所定のPRクラスに基づいて最尤復号する、例えばクラスPR(3443)に基づいて最尤復号しバイナリデータを得る。またこの際、理想レベルと適応等化信号との誤差量を等化誤差信号としてオフセット制御部２１１、アシンメトリ制御部２１２、振幅制御部２１３、および適応等化器２１５の各ブロックに送る。ここで、記録データ列はフレームと呼ばれる1116bit毎のデータとして記録されるが、各フレームの開始位置を表す24bitのバイナリデータ列(SYNCコード)を検出し、後段の復調処理のための12bit毎の同期信号を生成するのが、同期復調器２１７である。また同期復調器２１７では、12bit毎のバイナリデータを、予め定めた規則に従い8bitの再生データへ復調処理を行う。
【００２０】
タイミングリカバリ部２２０は、再生信号クロックに位相同期するようにサンプリングクロックを生成する。タイミングリカバリ部２２０は、位相制御部を含む。シーケンサ２３０からの制御信号によりモード切り替えが行われる。モードとしては、アナログデジタル変換信号とサンプリングクロックとの位相比較を行い、位相誤差を、サンプリングクロック生成部にフィードバックするハイゲインモードと、最尤復号結果と等化誤差信号を元に位相比較を行い位相フィードバックを行うMLモードを切り替える。MLモードで所望の性能を満たすには適応等化が終了している状態が望ましい。また、周波数制御信号を元にサンプリングクロックの周波数を制御し、位相引き込み可能な範囲まで周波数を合わせる機能を含む。
【００２１】
周波数検出部２１８は、ADC信号を元にサンプリングクロックと再生信号クロックの周波数差を検出する。周波数検出時に、周波数検出信号、および周波数誤差信号を出力する。
【００２２】
同期復調器２１７は、最尤復号器２１６からの最尤復号出力を元に、同期信号を検出する。また、同期信号が所定の間隔で連続して検出された場合に位相同期検出信号を発生する。また復調出力を次段のエラー訂正回路など（図示せず）に供給する。
【００２３】
シーケンサ２３０は、周波数検出信号、周波数誤差信号、および位相同期検出信号に基づきオフセット制御、アシンメトリ制御、振幅制御、タイミングリカバリ、および適応等化器の各ブロックの動作を制御する。
【００２４】
また、周波数検出信号、周波数誤差信号を元にサンプリングクロックの周波数制御信号を生成する。周波数制御オンの時、周波数検出信号が発生する度に周波数誤差信号に基づいて周波数制御信号を発生しサンプリングクロック周波数を増減する。周波数引き込み時には位相引き込みを停止しておき、位相同期後には周波数引き込みは停止する。
【００２５】
タイミングリカバリ２２０内には、デジタル電圧制御発振器を用いた位相ロックループ（PLL)回路が含まれている。そして、発振器の出力（サンプリングクロック）は外部からの再生クロックとの位相ロック状態が得られるようになっている。
【００２６】
以下に、シーケンサによる各ブロックの制御動作について説明する。
【００２７】
図２（A)にシーケンサ２３０の状態遷移図を示す。図２（B)には、図１に示したシーケンサ２３０による各ブロックの制御状態遷移表の図を示す。また図２（C)は、シーケンサ２３０の条件判定と次の状態への行き先を表にまとめて示している。
【００２８】
図２（A)において、状態S0〜S5はシーケンサの各状態(STATE：図２（B)では、０−４)を、T0〜T8は各状態間の遷移条件を表す記号である。
【００２９】
S0はオフセット、アシンメトリ、振幅制御を周波数制御可能な程度に合わせる状態を示す、
S1は周波数制御を位相制御可能な程度まで合わせる状態を示す、
S2は位相引き込みを行う状態を示す、
S3は適応等化を開始し、位相同期の判定を待つ状態を示す、
S4は定常リード状態を示す、
電源投入後、あるいは光ディスクの再生がスタートする前に、シーケンサの状態はS0に初期化される。この、S0の期間は、図２（B)に示すように、オフセット制御部２１１、アシンメトリ制御部２１２、振幅制御部２１３はハイゲイン、適応等化器２１５、周波数制御（CFC)、位相制御はオフにする。次に、オフセット、アシンメトリ、振幅制御の収束を検出するとT0が成立し、状態はS1に遷移する。図２（C)には、状態（STATE）S０において、T0＝１が成立した場合、次の状態（STATE)はS１であること示している。T２、T4、T6、T7、T8のように、表に×が記入された条件は１であっても０であっても構わない事を表している。
【００３０】
この時、オフセット制御部２１１、アシンメトリ制御部２１２、振幅制御部２１３をローゲインにし、周波数制御（CFC)をオンにする。
【００３１】
次に、周波数誤差が設定された閾値以下となったときT2が成立し、状態はS2に遷移する。この時、位相制御をハイゲインにする。次に、位相引き込みが終了したときT4が成立し、状態はS3に遷移する。
【００３２】
この時、適応等化器２１５をハイゲインに、位相制御をMLモードにする。ここで、定常リード可能な状態になったことが検出されるとT8が成立し、状態はS4に遷移する。
【００３３】
しかし、一定期間定常リード可能な状態になったことが検出されなかった場合は、T7が成立しS2に遷移する。また周波数制御が不十分な場合には、位相引き込みが失敗することがある。この場合は周波数制御信号を出して周波数を微調整し、S2の位相引き込みからやり直す。この過程を定常リード可能な状態になったことが検出されるまで繰り返す。また、状態Ｓ1に完全に一旦移行して、周波数引き込み制御からやり直してもよい。
【００３４】
次に、定常リード可能な状態になったことを検出するとT8が成立し、状態はS4に遷移する。この時、オフセット、アシンメトリをMLモードに、適応等化器をローゲインに、周波数制御をオフにする。
【００３５】
ここで、T8における定常リード可能な状態とは、位相同期および適応等化が十分に成功し、再生信号が一定レベル以上の性能を持って読めることを示すが、この検出には各種方法が考えられる。ここでは、同期復調に於いて同期信号が所定の間隔で連続して検出されたことを判定しているが、この方法に限るものではない。
【００３６】
また、S3に於いて周波数誤差が所定の値を超えた場合はT6が成立しS1からやり直す。
【００３７】
この発明は、上記の実施形態に限定されるものではない。図３（A)、図３（B)に他の実施の形態におけるシーケンサの状態遷移図と、シーケンサの状態遷移表の図を示す。図３（A)において、S0〜S5はシーケンサの各状態を、T0〜T10は各状態間の遷移条件を表す記号である。図３（B)には、図１に示したシーケンサ２３０による各ブロックの状態遷移表の図を示す。また図３（C)は、シーケンサ２３０の条件判定と次の状態への行き先を表にまとめて示している。
【００３８】
図２（A)と図３（A)の相違点は、状態S5が新たに加えられている。この状態S5を加えることによりVFO領域を持つディスクにおける高速アクセス動作を実現できる。状態S5はVFO領域に記録されている一定周波数のVFOを用いた高速引き込みを行う状態を示す。
【００３９】
ランダムな読み書きが可能なディスクにおいては、多くの場合、各書き込みの先頭でVFOと呼称される周波数が一定の信号が一定の長さ書き込まれる。再生時に、VFO領域を用いて周波数、位相の引き込みを行うことで高速なアクセスが可能となる。
【００４０】
状態S0〜S4の遷移は、図２（A)の実施の形態と同様である。
【００４１】
電源投入後シーケンサの状態はS0に初期化される。この、S0の期間は、図３（B)に示すように、オフセット制御部２１１、アシンメトリ制御部２１２、振幅制御部２１３はハイゲイン、適応等化器２１５、周波数制御（CFC)、位相制御はオフにする。次に、オフセット、アシンメトリ、振幅制御の収束を検出するとT0が成立し、状態はS1に遷移する。図３（C)には、状態（STATE）S０において、T0＝１が成立した場合、次の状態（STATE)はS１であること示している。なおテーブルにおいてある状態から次に移行する状態が複数ある場合は、条件の例えば１と０の組み合わせで識別できるようになっている。例えば状態S３から状態S4へ移行する場合には、条件T５、T６、T7、T8が、例えば、０、０、０、１となる。条件Tのデータを表す方法は、各種可能であり、たとえば、それぞれを４ビットとして、そのビット内容であらわすようにする。
【００４２】
状態S1〜S4において、VFO領域が検出されるとT1、T3、T5、またはT9が成立し、状態はS5に遷移する。
【００４３】
状態S5の期間、オフセット制御部２１１、アシンメトリ制御部２１２、および振幅制御部２１３はローゲイン、適応等化器２１５、周波数制御はオフ、位相制御はVFO専用にする（図３（B)のSTATE５）。
【００４４】
次に、位相引き込みが終了したときT１０が成立し、状態はS3に遷移する。この時、適応等化器２１５をハイゲインに、位相制御をMLモードにする。ここで定常リード可能な状態になったことが検出されない場合は先の図２（A)の場合と同様に状態S２、または状態S3からやり直す。
【００４５】
この発明は、上記の実施の形態に限定されるものではない。シーケンサ２３０はT0〜T10の遷移条件を有効／無効に任意に設定できるようしておき、図２（A)、（B)、図３（A)、（B)の状態遷移をひとつのシーケンサで実現できる。再生するディスクを、ディスク上に書かれた識別情報等を用いて識別し、最適な状態遷移図が選択されるようにする。また、各状態における各ブロックの制御信号の値を任意に選択できるようにして、各種のディスクに最適なシーケンスを実現できるようする。
【００４６】
図４には、シーケンサ２３０の内部の機能を簡単に示している。例えばディスクの種類に応じて、状態遷移を図２（A）に示したモード、図３（A)に示したモードに任意に切り替えられるようにしてもよい。各被制御対象ブロックのゲインを種々容易しておき、任意に選択できるようにしてもよい。そのために遷移モード選択部及びゲイン選択部が設けられている。この遷移モード選択部及びゲイン選択部は、ディスク判別結果に応じて自動的に遷移モード、ゲイン設定データを切り替えるようにしてもよい。ディスク判別は、装置自身が自動判別してもよいし、ユーザが強制的に判別情報を与えるようにしてもよい。
【００４７】
また上記の説明では周波数制御はオン又はオフ動作を行うとしたが、ハイゲインとローゲイン動作状態を含むようにしてもよい。
【００４８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４９】
【図１】本発明に係るデジタルデータ再生装置の構成を示す図。
【図２】図１に示したデジタルデータ再生装置の一動作例を説明するために、同図（A)はシーケンサの状態遷移図、同図（B)はシーケンサの制御状態を示すテーブルの図、同図（C)はシーケンサの条件判定処理の説明図である。
【図３】図１に示したデジタルデータ再生装置の他の動作例を説明するために、同図（A)はシーケンサの状態遷移図、同図（B)はシーケンサの制御状態を示すテーブルの図、同図（C)はシーケンサの条件判定処理の説明図である。
【図４】この発明の他の実施の形態を説明するためにシーケンサ２３０の動作機能を示す説明図。
【符号の説明】
【００５０】
１０２…前置増幅器、１０３…前置波形等化器、２１１…オフセット制御部、２１２…アシンメトリ制御部、２１３…振幅制御部、２１４…アナログデジタル変換器、２１５…適応等化器、２１６…最尤復号器、２１６…同期復調器、２２０…タイミングリカバリ部、２１８…周波数検出部、２３０…シーケンサ。
【図１】
2006127661.tif 000003
【図２】
2006127661.tif 000004
【図３】
2006127661.tif 000005
【図４】
2006127661.tif 000006